(57)【要約】【課題】単位体積あたりの記録容量を向上させ、コンパクトで大記録容量を可能にし、しかも収納されたディスクの分離，取出が容易で、非使用時における薄型化を図ることができるディスクカートリッジを提供する。【解決手段】カートリッジケース８の内部に、複数枚の光ディスク１，磁石６付きのシート５を積み重ねるようにして収納する。使用時にはカートリッジケース８外において、磁石６同士の反発力によりシート５における側端部Ａの間隔が広がり、このためディスクカートリッジ７内において密着状態にあった各光ディスク１の間隔が広がり、それぞれ分離する。【選択図】　　図２
2004145993.tif 000002
【特許請求の範囲】
【請求項１】
記録／再生用のディスクを複数枚積載して収納したディスクカートリッジにおいて、前記ディスク間に、磁石が設けられたシートを介在させ、隣接する前記磁石における磁性を互に反発する極性にしたことを特徴とするディスクカートリッジ。
【請求項２】
前記シートの側端部および／または中央部に前記磁石を設けたことを特徴とする請求項１記載のディスクカートリッジ。
【請求項３】
記録／再生用のディスクを複数枚積載して収納したディスクカートリッジにおいて、前記各ディスクに磁石を設け、隣接する前記磁石における磁性を互に反発する極性にしたことを特徴とするディスクカートリッジ。
【請求項４】
前記ディスクにおける側端部および／または中央部に前記磁石を設けたことを特徴とする請求項３記載のディスクカートリッジ。
【請求項５】
記録／再生用のディスクを複数枚積載して収納したディスクカートリッジにおいて、前記ディスクと、該ディスク間に介在させたシートとに磁石を設け、隣接する前記磁石における磁性を互に反発する極性にしたことを特徴とするディスクカートリッジ。
【請求項６】
前記磁石を、前記シートと前記ディスクの中央部および／または前記シートと前記ディスクの側端部に設けたことを特徴とする請求項５記載のディスクカートリッジ。
【請求項７】
ディスクカートリッジ本体に、前記各磁石の反発力に抗して各ディスクを密着する状態に保持する手段を設けたことを特徴とする請求項１〜６いずれか１項のディスクカートリッジ。
【請求項８】
ディスクカートリッジ本体に、使用時に該ディスクカートリッジ本体の内部空間を広げるための内部応力を持たせたことを特徴とする請求項１〜７いずれか１記載のディスクカートリッジ。
【請求項９】
収納されるディスクが、シート状で可撓性を有する記録／再生用の光ディスクであることを特徴とする請求項１〜８いずれか１記載のディスクカートリッジ。
【発明の詳細な説明】
【０００１】
【発明の属する技術分野】
本発明は、記録および／または再生用のディスク、特にシート状で可撓性を有する記録／再生用の光ディスクを収納するために適用されるディスクカートリッジに関するものである。
【０００２】
【従来の技術】
今日、ディスク形状の媒体を用いた情報記録媒体には、磁気ディスク，光ディスク，光磁気ディスクなどがある。このようなディスク状記録媒体を使用するディスク装置としては従来から各種のものがあるが、その中の一つに複数枚のディスクをカートリッジに入れ、その中から任意のディスクを選んで記録／再生部に取り出して、記録あるいは再生を行うディスクチェンジャ方式のものがあり、例えばディスク自動交換式のＣＤプレーヤがこのように構成されている。
【０００３】
また、前記のように複数枚のディスクを収納したカートリッジを使用するディスク装置として、複数の記録／再生部を備えると共に装着されたカートリッジからディスクを、複数の記録／再生部にそれぞれ個別に取り出して、複数のディスクに対する記録あるいは再生を同時に、または選択的に行う方式のもの、例えばコンピュータシステムにおける外部記憶装置としてのディスクプレーヤの開発が進められている。
【０００４】
また、複数枚のディスクを収納したカートリッジとしては、例えば特許文献１に示されるようなものが挙げられ、カートリッジ本体，ディスク間の隔壁とも厚い剛性部材で構成されているのが一般的である。特許文献１に記載された発明は、ディスク間を隔壁で区切り、ディスク単体の取り出しと収納動作を前提としたものである。
【０００５】
一方、本発明者らは、特願２００２−１８３２３号として、可撓性を有するシート状の光ディスクを用いて記録／再生を行う際に、空気力によって光ディスクの面ぶれを確実に抑制し、対物レンズとの摺接などの不具合の発生を防ぐことにより、高密度の記録を可能にした光ディスク駆動装置，光学的情報記録装置，および光学的情報再生装置、ならびにそれらに用いられるディスクカートリッジを提案した。
【０００６】
特願２００２−１８３２３号の発明によって、高ＮＡレンズを用いる際のディスクとの衝突などの問題を回避することができ、また、光ディスクが薄いことを利用し、複数枚の光ディスクをカートリッジに収納することにより、１つのカートリッジで１００ＧＢ以上の大記録容量を簡潔な構成で実現することができた。
【０００７】
【特許文献１】
特許第２７２２５１２号公報
【０００８】
【発明が解決しようとする課題】
しかしながら、特許文献１に記載されたカートリッジの構成においても、ディスク間に厚い剛体部材が配置されることが基本となっており、これが原因となって、必然的にカートリッジの単位体積あたりの記録容量が制限されるという問題があった。
【０００９】
また、特願２００２−１８３２３号にて提案したディスクカートリッジにおいては、光ディスクが薄いため、単位体積あたりの記録容量を上げることができたものの、依然として、剛体で形成されたディスクトレイの厚みが原因して単位体積あたりの記録容量が制限された。
【００１０】
本発明の目的は、前記従来の課題を解決し、複数枚のディスクから、任意のディスクを選択して記録あるいは再生を行うディスク装置に用いられることを前提として、単位体積あたりの記録容量を向上させ、コンパクトで大記録容量を可能にし、しかも収納されたディスクの分離，取出が容易で、非使用時における薄型化を図ることができるディスクカートリッジを提供することにある。
【００１１】
【課題を解決するための手段】
前記目的和達成するため、請求項１に記載の発明は、記録／再生用のディスクを複数枚積載して収納したディスクカートリッジにおいて、前記ディスク間に、磁石が設けられたシートを介在させ、隣接する前記磁石における磁性を互に反発する極性にしたことを特徴とし、この構成によって、ディスク間の間隔をシートに設けた磁石の反発によって広げることができ、ディスクの分離，搬送が容易に行われることになる。
【００１２】
請求項２に記載の発明は、請求項１記載のディスクカートリッジにおいて、シートの側端部および／または中央部に磁石を設けたことを特徴とする。
【００１３】
請求項３に記載の発明は、記録／再生用のディスクを複数枚積載して収納したディスクカートリッジにおいて、前記各ディスクに磁石を設け、隣接する前記磁石における磁性を互に反発する極性にしたことを特徴とし、この構成によって、ディスク間の間隔をディスクに設けた磁石の反発によって広げることができ、簡潔な構造でディスクの分離，搬送が容易に行われることになる。
【００１４】
請求項４に記載の発明は、請求項３記載のディスクカートリッジにおいて、ディスクにおける側端部および／または中央部に磁石を設けたことを特徴とする。
【００１５】
請求項５に記載の発明は、記録／再生用のディスクを複数枚積載して収納したディスクカートリッジにおいて、前記ディスクと、該ディスク間に介在させたシートとに磁石を設け、隣接する前記磁石における磁性を互に反発する極性にしたことを特徴とし、この構成によって、ディスク間の間隔をディスクとシートとに設けた磁石の反発によって広げることができ、ディスクの分離，搬送が容易かつ確実に行われることになる。
【００１６】
請求項６に記載の発明は、請求項５記載のディスクカートリッジにおいて、磁石を、シートとディスクの中央部および／またはシートとディスクの側端部に設けたことを特徴とする。
【００１７】
請求項７に記載の発明は、請求項１〜６いずれか１項のディスクカートリッジにおいて、ディスクカートリッジ本体に、各磁石の反発力に抗して各ディスクを密着する状態に保持する手段を設けたことを特徴とし、この構成によって、非使用時におけるディスクカートリッジ全体の厚さを、薄く保持することができる。
【００１８】
請求項８に記載の発明は、請求項１〜７いずれか１記載のディスクカートリッジにおいて、ディスクカートリッジ本体に、使用時に該ディスクカートリッジ本体の内部空間を広げるための内部応力を持たせたことを特徴とし、この構成によって、ディスクカートリッジ本体の内部空間が広がることによって、磁石の反発によるディスクの移動が抵抗なく容易かつ確実に行われ、ディスク間の間隔拡張によるディスクの分離が確実に行われることになる。
【００１９】
請求項９に記載の発明は、請求項１〜８いずれか１記載のディスクカートリッジにおいて、収納されるディスクが、シート状で可撓性を有する記録／再生用の光ディスクであることを特徴とし、このような光ディスクの収納に際して特に効果がある。
【００２０】
【発明の実施の形態】
以下、本発明の好適な実施形態について図面を参照しながら説明する。
【００２１】
図１は本発明の実施形態１を説明するためのディスクカートリッジにおける光ディスクとシートとの積載状態を示す斜視図、図２は図１に示す光ディスクとシートとをディスクカートリッジに収納した状態の説明図、図３は本実施形態に収納される光ディスクの基本構成図である。
【００２２】
図３において、光ディスク１は、フレキシブル基板２の一面に記録層３が形成され、記録層３の表面に保護層４が形成されたものであって、ディスク全体としてシート状で、かつ可撓性を有するものである。
【００２３】
より具体的に説明すると、光ディスク１は、直径１２０ｍｍであって、基板として可撓性を持たせるために０．１ｍｍ程度の薄いシートを用い、例えばポリエチレンテレフタレート製の厚さ８０μｍのシートに、熱転写によりスタンパのピッチが０．６μｍ、幅０．３μｍのグルーブを転写し、その後、スパッタリングによりシート／Ａｇ反射層を１２０ｎｍ／（ＺｒＯ２−Ｙ２Ｏ３）−ＳｉＯ２，７ｎｍ／ＡｇＩｎＳｂＴｅＧｅ，１０ｎｍ／ＺｎＳ−ＳｉＯ２，２５ｎｍ／Ｓｉ３Ｎ４の順番に成膜したものであり、このシートにＵＶ樹脂をスピンコートし、紫外線照射で硬化させて厚さ５μｍの透明保護膜を形成し、さらに、このディスクを大口径のレーザ光で記録層を溶融結晶化することによって反射率を上げたものである。
【００２４】
図１において、複数（図では１０枚を例示した）の光ディスク１の上下面に、それぞれシート５が配されており、各シート５は、光ディスク１より面積が大きく、上下のシート５で光ディスク１を挟むようになっている。シート５は、本例ではナイロン繊維からなる不織布であって、１枚の厚さが略０．３ｍｍである。さらに、シート５における光ディスク１の直径より大きい部分Ａにおいて、隣接するシート５が重なり、この部分Ａに磁石６が設けられている。
【００２５】
磁石６が設けられるシート５の部分は略５０μｍにして、磁石６を設けた部分Ａの厚みが略０．５ｍｍになるようにしている。
【００２６】
図２において、ディスクカートリッジ７では、カートリッジケース８の内部に、複数枚の光ディスク１，磁石６付きのシート５を積み重ねるようにして収納され、カートリッジケース８の開口部には、光ディスク１の脱落を防止するため蓋体９が開閉可能に設けられている。
【００２７】
ディスク駆動装置にディスクカートリッジ７を挿入すると、図示しない蓋体作動手段により蓋体９を開いて、シート５におけるＡ部を露出させる。この状態でＡ部は蓋体９に拘束されずに自由になるので、磁石６同士の反発力でシート５における側端部（Ａ部）の間隔が広がる。このことにより、ディスクカートリッジ７内において密着状態にあった各光ディスク１の間隔が広がり、それぞれ分離されることになる。
【００２８】
その後、例えばディスククランプアーム（図示せず）をシート５間に挿入して、光ディスク１の端部を挟持して、光ディスク１をディスクカートリッジ７から所定位置まで移動させ回転駆動し、記録／再生を可能にする。また、前記ディスククランプアームによって光ディスク１を逆方向へ移動させることによって、光ディスク１をディスクカートリッジ７に戻すことができる。
【００２９】
そして、ディスク駆動装置からディスクカートリッジ７を取り出すときに、使用されていた光ディスク１を前記のようにしてディスクカートリッジ７に戻し、その後、蓋体９を蓋体作動手段により閉じる。この状態でシート５は、蓋体９を含むカートリッジケース８からの磁石６の反発力に抗する規制を受けて、シート５のＡ部が押圧されるようになる、このことにより、再びシート５同士が密着した収納状態になり、この閉鎖状態でディスクカートリッジ７を取り出すことができる。
【００３０】
図４は本発明の実施形態２を説明するための光ディスクとシートとをディスクカートリッジに収納した非使用状態の説明図、図５は図４のディスクカートリッジの使用状態時の説明図であって、実施形態２では、カートリッジケース１０が上下方向に伸縮可能で、幅方向の厚さが変わるようになっている。
【００３１】
このため、図４に示す非使用時には、カートリッジケース１０を折り畳んだ状態にすることが可能になり、光ディスク１およびシート５を密着状態に収納して、カートリッジケース１０全体の厚さを薄くすることにより、保管、携帯に便利な形態にすることができる。
【００３２】
また、使用時には、ディスク駆動装置内にディスクカートリッジ７を挿入すると、図５に示すように、カートリッジケース１０が上下方向に広がり内部空間を大きくすることにより、シート５の磁石６同士の反発力でシート５間の間隔が広がり、これによって、ディスクカートリッジ７内において密着状態にあった各光ディスク１が分離されることになる。
【００３３】
カートリッジケース１０を薄い状態に保持しておくため、蓋体，挟持部材など、各磁石６の反発力に抗して各光ディスク１およびシート５を密着する状態に保持するための保持手段を、ディスクカートリッジ，磁石などの仕様に応じて適宜選択して採用する。
【００３４】
また、ディスク駆動装置側に、ディスクカートリッジ挿入時に前記保持手段による保持状態を解除して、カートリッジケース１０の内部空間を広げるための手段を設けたり、あるいはカートリッジケース１０に、前記保持状態が解除されたときに、カートリッジケース自体が高くなる方向に付勢するような内部応力を持たせることが考えられる。
【００３５】
図６は本発明の実施形態２の変形例を説明するための光ディスクとシートとをディスクカートリッジに収納した非使用状態の説明図であって、この例では、カートリッジケース１１を多数段に折り畳んだ状態にすることを可能にしたものである。
【００３６】
図７は本発明の実施形態３を説明するための光ディスクとシートとの説明図、図８は図７の光ディスクとシートとのディスクカートリッジ収納状態を示す説明図であって、実施形態３では、磁石６が光ディスク１の中心部分に設けられている。カートリッジケース１２としては、実施形態１のカートリッジケース８のように蓋体９が設けられるもの、あるいは実施形態２のカートリッジケース１０，１１のように折り畳み可能なものを採用することができる。
【００３７】
図９は本発明の実施形態４を説明するための光ディスクとシートとの説明図、図１０は図９の光ディスクとシートとのディスクカートリッジ収納状態を示す説明図であって、実施形態４では、磁石６が光ディスク１の中心部分と外周側部に設けられている。カートリッジケース１３としては、第３実施形態と同様に、実施形態１のカートリッジケース８のように蓋体９が設けられるもの、あるいは実施形態２のカートリッジケース１０，１１のように折り畳み可能なものを採用することができる。
【００３８】
また前記実施形態の構成を適宜組み合わせることにより、ディスクカートリッジの構造，仕様などに応じた最適なものにすることができ、例えば磁石６を光ディスク１あるいはシート５における中央部あるいは外側部の少なくともいずれか一箇所、あるいは全てに設けてもよい。
【００３９】
なお、前記実施形態では、収納されるディスクが、シート状で可撓性を有する記録／再生用の光ディスクであるとして説明したが、記録／再生用の情報記録媒体としてのディスクであれば適用される。
【００４０】
【発明の効果】
以上説明したように、本発明によれば、シート状の記録／再生用のディスクをディスクカートリッジに複数枚収納することにより、単位体積あたりの記録容量を向上させ、コンパクトで大記録容量化が実現し、シート状のディスクが積載状態で収納されていても、ディスク間の間隔がディスク自体あるいはシートに設けた磁石の反発によって広がるため、使用時におけるディスクの分離と、ディスクのカートリッジからの搬送を容易かつ確実に行うことが可能になる。
【００４１】
また、ディスクカートリッジ使用時のみディスク間の間隔を広げるようにすることが容易であり、このため、非使用時のディスクカートリッジの厚さを薄くすることができ、保管、携帯に便利な形態にすることができる。
【図面の簡単な説明】
【図１】本発明の実施形態１を説明するためのディスクカートリッジにおける光ディスクとシートとの積載状態を示す斜視図
【図２】実施形態１における光ディスクとシートとをディスクカートリッジに収納した状態の説明図
【図３】本実施形態に使用される光ディスクの基本構成図
【図４】本発明の実施形態２を説明するための光ディスクとシートとをディスクカートリッジに収納した非使用状態の説明図
【図５】実施形態２におけるディスクカートリッジの使用状態時の説明図
【図６】本発明の実施形態２の変形例を説明するための光ディスクとシートとをディスクカートリッジに収納した非使用状態の説明図
【図７】本発明の実施形態３を説明するための光ディスクとシートとの説明図
【図８】実施形態３における光ディスクとシートとのディスクカートリッジ収納状態を示す説明図
【図９】本発明の実施形態４を説明するための光ディスクとシートとの説明図
【図１０】実施形態４における光ディスクとシートとのディスクカートリッジ収納状態を示す説明図
【符号の説明】
１　シート状の光ディスク
５　シート
６　磁石
７　ディスクカートリッジ
８，１０，１１，１２，１３　カートリッジケース
９　蓋体
【図１】
2004145993.tif 000003
【図２】
2004145993.tif 000004
【図３】
2004145993.tif 000005
【図４】
2004145993.tif 000006
【図５】
2004145993.tif 000007
【図６】
2004145993.tif 000008
【図７】
2004145993.tif 000009
【図８】
2004145993.tif 000010
【図９】
2004145993.tif 000011
【図１０】
2004145993.tif 000012